(57)【要約】【課題】表示画質を高めることができる表示装置を得る。【解決手段】表示画面から映像に応じた表示光が、各フレーム期間内において間欠的に複数回発せられるように制御される表示部と、各フレーム期間における、表示光が発せられる複数の表示光期間のうちの少なくとも１つの時間上の位置を制御する制御部とを備える。【選択図】図４
2013101259.tif 000002
【特許請求の範囲】
【請求項１】
表示画面から映像に応じた表示光が、各フレーム期間内において間欠的に複数回発せられるように制御される表示部と、
各フレーム期間における、前記表示光が発せられる複数の表示光期間のうちの少なくとも１つの時間上の位置を制御する制御部と
を備えた表示装置。
【請求項２】
各フレーム期間には、固定された第１の表示光期間と、可変の第２の表示光期間が設けられている
請求項１に記載の表示装置。
【請求項３】
前記制御部は、前記表示部に表示すべき映像の明るさレベルに基づいて前記第２の表示光期間の時間上の位置を制御する
請求項２に記載の表示装置。
【請求項４】
前記制御部は、前記明るさレベルが大きいほど、前記第２の表示光期間を、互いに隣り合うフレーム期間における２つの前記第１の表示光期間の中央に近づける
請求項３に記載の表示装置。
【請求項５】
前記制御部は、前記表示部に表示すべき映像の動き量に基づいて前記第２の表示光期間の時間上の位置を制御する
請求項２に記載の表示装置。
【請求項６】
前記制御部は、前記動き量が小さいほど、前記第２の表示光期間を、互いに隣り合うフレーム期間における２つの前記第１の表示光期間の中央に近づける
請求項５に記載の表示装置。
【請求項７】
前記制御部は、第１の動作モードにおいて、前記第２の表示光期間を、互いに隣り合うフレーム期間における２つの前記第１の表示光期間の中央に配置する
請求項２に記載の表示装置。
【請求項８】
前記制御部は、第２の動作モードにおいて、前記第２の表示光期間を、互いに隣り合うフレーム期間における２つの前記第１の表示光期間の中央からずれた位置に配置する
請求項７に記載の表示装置。
【請求項９】
前記制御部は、第３の動作モードにおいて、前記第２の表示光期間を、前記第１の表示光期間に隣接して配置する
請求項８に記載の表示装置。
【請求項１０】
前記制御部は、前記明るさレベルを複数の範囲に区分し、明るさレベルが一番大きい範囲に属する場合には、前記第１の動作モードを選択する
請求項７に記載の表示装置。
【請求項１１】
前記制御部は、前記動き量を複数の範囲に区分し、動き量が一番小さい範囲に属する場合には、前記第１の動作モードを選択する
請求項７に記載の表示装置。
【請求項１２】
前記制御部は、前記表示部に表示すべき映像の明るさレベルおよび動き量をそれぞれ複数の範囲に区分し、
明るさレベルが一番大きい場合、もしくは動き量が一番小さい場合には、前記第１の動作モードを選択し、
明るさレベルが一番小さく、かつ動き量が一番大きい場合には、前記第３の動作モードを選択し、
それ以外の場合には、前記第２の動作モードを選択する
請求項９に記載の表示装置。
【請求項１３】
前記表示部は、液晶表示部と、バックライトとを備え、
前記制御部は、前記バックライトの発光タイミングを制御する
請求項２に記載の表示装置。
【請求項１４】
前記第１の表示光期間は、前記液晶表示部の中央に位置する水平ラインが表示される表示期間の最後部またはその近傍に設けられている
請求項１３に記載の表示装置。
【請求項１５】
前記バックライトは複数の部分発光部を有し、
前記制御部は、前記部分発光部ごとに、前記第２の表示光期間の時間軸上の位置を独立して制御する
請求項１３に記載の表示装置。
【請求項１６】
各部分発光部の前記第１の表示光期間は、前記液晶表示部における対応する表示領域の中央に位置する水平ラインが表示される表示期間の最後部またはその近傍に設けられている
請求項１５に記載の表示装置。
【請求項１７】
前記表示部は、エレクトロルミネッセンス表示部である
請求項１に記載の表示装置。
【請求項１８】
各フレーム期間において、表示画面から間欠的に複数回表示光を発し、前記表示光が発せられる複数の表示光期間のうちの少なくとも１つの時間上の位置を制御する
表示方法。
【発明の詳細な説明】
【技術分野】
【０００１】
本開示は、映像を表示する表示装置、およびその表示方法に関する。
【背景技術】
【０００２】
近年、表示装置においては、ＣＲＴ（Cathode Ray Tube）表示装置から液晶表示装置への置き換えが進んでいる。液晶表示装置は、ＣＲＴ表示装置に比べて薄くできるため省スペースを実現しやすく、また、消費電力が低いためエコロジーの観点からもメリットがある。
【０００３】
例えばＣＲＴ表示装置は、いわゆるインパルス型の表示デバイスである。人は、一般に、映像の点滅の周波数がある周波数（フリッカ検知周波数）以下になると、その映像を観察したときにちらつき（フリッカ）を感じてしまう。よって、このような表示装置では、観察者は、表示映像にフリッカを感じ、画質が劣化したように感じるおそれがある。
【０００４】
一方、例えば液晶表示装置は、画素の状態が１フレームの間保持し続ける、いわゆるホールド型の表示デバイスである。よって、観察者は、このような表示装置に表示された動体を観察する場合、いわゆるホールドぼけが生じ、画質が劣化したように感じてしまう。このホールドぼけを改善するため、いくつかの検討がなされている（例えば、特許文献１など）。
【先行技術文献】
【特許文献】
【０００５】
【特許文献１】特開２００８−２６８４３６号公報
【発明の概要】
【発明が解決しようとする課題】
【０００６】
ところで、表示装置では、表示画質のさらなる向上が望まれている。しかしながら、特許文献１には、表示画質のさらなる向上についての具体的な記載がない。
【０００７】
本開示はかかる問題点に鑑みてなされたもので、その目的は、表示画質を高めることができる表示装置および表示方法を提供することにある。
【課題を解決するための手段】
【０００８】
本開示の表示装置は、表示部と、制御部とを備えている。表示部は、表示画面から映像に応じた表示光が、各フレーム期間内において間欠的に複数回発せられるように制御されるものである。制御部は、各フレーム期間における、表示光が発せられる複数の表示光期間のうちの少なくとも１つの時間上の位置を制御するものである。
【０００９】
本開示の表示方法は、各フレーム期間において、表示画面から間欠的に複数回表示光を発し、表示光が発せられる複数の表示光期間のうちの少なくとも１つの時間上の位置を制御するものである。
【００１０】
本開示の表示装置および表示方法では、各フレーム期間に設けられた複数の表示光期間において、間欠的に表示が行われる。その際、これらの複数の表示光期間のうち、少なくとも１つの時間上の位置が制御される。
【発明の効果】
【００１１】
本開示の表示装置および表示方法によれば、複数の表示光期間のうち、少なくとも１つの時間軸上の位置を制御するようにしたので、表示画質を高めることができる。
【図面の簡単な説明】
【００１２】
【図１】本開示の第１の実施の形態に係る表示装置の一構成例を表すブロック図である。
【図２】図１に示した表示駆動部および液晶表示部の一構成例を表すブロック図である。
【図３】図２に示した画素の一構成例を表す回路図である。
【図４】図１に示した表示装置の一動作例を表すタイミング波形図である。
【図５】図１に示したバックライト駆動部の一動作例を表す表である。
【図６】第１の実施の形態の変形例に係る表示装置の一動作例を表すタイミング波形図である。
【図７】第１の実施の形態の他の変形例に係る表示装置の一動作例を表すタイミング波形図である。
【図８】第１の実施の形態の他の変形例に係る表示装置の一動作例を表すタイミング波形図である。
【図９】第１の実施の形態の他の変形例に係る表示装置の一動作例を表すタイミング波形図である。
【図１０】第１の実施の形態の他の変形例に係る表示装置の一動作例を表すタイミング波形図である。
【図１１】第１の実施の形態の他の変形例に係るバックライトの一動作例を表すタイミング波形図である。
【図１２】第２の実施の形態に係る表示装置の一構成例を表すブロック図である。
【図１３】図１２に示した表示装置の一動作例を表すタイミング波形図である。
【図１４】変形例に係る表示装置の一構成例を表すブロック図である。
【発明を実施するための形態】
【００１３】
以下、本開示の実施の形態について、図面を参照して詳細に説明する。なお、説明は以下の順序で行う。
１．第１の実施の形態
２．第２の実施の形態
【００１４】
＜１．第１の実施の形態＞
［構成例］
図１は、第１の実施の形態に係る表示装置の一構成例を表すものである。表示装置１は、バックライトを有する透過型の液晶表示装置である。なお、本開示の実施の形態に係る表示方法は、本実施の形態により具現化されるので、併せて説明する。
【００１５】
表示装置１は、制御部１１と、表示駆動部２０と、液晶表示部３０と、動きベクトル検出部１２と、平均信号レベル検出部１３と、バックライト駆動部１４と、バックライト４０とを備えている。
【００１６】
制御部１１は、映像信号Ｓdispに基づいて、表示駆動部２０、動きベクトル検出部１２、平均信号レベル検出部１３、バックライト駆動部１４がお互いに同期して動作するように制御する回路である。具体的には、制御部１１は、後述するように、表示駆動部２０に対して映像信号Ｓdispおよび表示制御信号を供給し、動きベクトル検出部１２および平均信号レベル検出部１３に対して映像信号Ｓdispおよび制御信号をそれぞれ供給し、バックライト駆動部１４に対してバックライト制御信号を供給する。
【００１７】
表示駆動部２０は、制御部１１から供給される映像信号Ｓdispに基づいて、液晶表示部３０を駆動するものである。液晶表示部３０は、液晶表示素子により構成された表示部であり、バックライト４０から射出した光を変調することにより表示を行うようになっている。
【００１８】
図２は、表示駆動部２０および液晶表示部３０のブロック図の一例を表すものである。  表示駆動部２０は、タイミング制御部２１と、ゲートドライバ２２と、データドライバ２３とを備えている。タイミング制御部２１は、ゲートドライバ２２およびデータドライバ２３の駆動タイミングを制御するとともに、制御部１１から供給された映像信号Ｓdispを映像信号Ｓdisp2としてデータドライバ２３へ供給するものである。ゲートドライバ２２は、タイミング制御部２１によるタイミング制御に従って、液晶表示部３０内の画素Ｐixを行ごとに順次選択して、線順次走査するものである。データドライバ２３は、液晶表示部３０の各画素Ｐixへ、映像信号Ｓdisp2に基づく画素信号を供給するものである。具体的には、データドライバ２３は、映像信号Ｓdisp2に基づいてＤ／Ａ（デジタル／アナログ）変換を行うことにより、アナログ信号である画素信号を生成し、各画素Ｐixへ供給するようになっている。
【００１９】
液晶表示部３０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐixを構成している。液晶表示部３０には、図２に示したように、画素Ｐixがマトリックス状に配置されている。
【００２０】
図３は、画素Ｐixの回路図の一例を表すものである。画素Ｐixは、ＴＦＴ（Thin Film Transistor）素子Ｔｒと、液晶素子ＬＣと、保持容量素子Ｃｓとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ２２に接続され、データ線ＳＧＬはデータドライバ２３に接続されている。
【００２１】
動きベクトル検出部１２は、映像信号Ｓdispにより供給される一連のフレーム画像に基づいて、画像の変化を示す動きベクトルを検出するものである。具体的には、動きベクトル検出部１２は、供給された一連のフレーム画像のうちの時間的に隣接する２つのフレーム画像の画像情報に基づいて、例えば画素単位で、表示内容の水平方向および垂直方向の動きを検出し、動きベクトルを求める。そして、動きベクトル検出部１２は、画素単位で求めた一連の動きベクトルを、動きベクトル信号Ｓｖとして出力するようになっている。なお、この例では画素単位で動きベクトルを求めたが、これに限定されるものではなく、これに代えて、例えば、複数の画素からなる画素ブロック単位で表示内容の動きを検出して動きベクトルを求めるようにしてもよい。
【００２２】
平均信号レベル検出部１３は、映像信号Ｓdispに基づいて、各フレーム画像における輝度レベルの平均値（平均信号レベルＳavg）を求めるものである。具体的には、平均信号レベル検出部１３は、例えば、映像信号ＳdispがＹＵＶ信号の場合には、Ｙ値の平均を求め、映像信号ＳdispがＲＧＢ信号の場合には、ＲＧＢ信号をＹ信号に変換し、そのＹ値の平均値を求めるようになっている。
【００２３】
バックライト制御部１４は、制御部１１から供給されたバックライト制御信号、動きベクトル検出部１２から供給された動きベクトル信号Ｓｖ、および平均信号レベル検出部１３から供給された平均信号レベルＳavgに基づいて、バックライト４０が、液晶表示部３０における表示に同期して間欠的に発光するように、バックライト４０を駆動するものである。具体的には、バックライト制御部１４は、後述するように、各フレーム期間において、バックライト４０が２回発光するようにバックライト４０を駆動する。その際、バックライト駆動部１４は、動きベクトル信号Ｓｖに基づいて、各画素の動きベクトルの大きさを、画面全体にわたって積分することにより映像の動き量を求めるとともに、平均信号レベルＳavgに基づいて映像の明るさを求める。そして、バックライト駆動部１４は、その映像の動き量および映像の明るさに基づいて、バックライト４０の発光タイミングが互いに異なる複数の動作モード（この例では３つの動作モードＭ１〜Ｍ３）から動作モードを選択し、その選択した動作モードに応じてバックライト４０を駆動するようになっている。
【００２４】
バックライト４０は、バックライト駆動部１４から供給される駆動信号に基づいて間欠的に発光（ブリンキング）し、液晶表示部３０に対してその光を射出するものである。このバックライト４０は、例えば、ＬＥＤ（Light Emitting Diode）を用いて構成することができる。なお、これに限定されるものではなく、例えばＣＣＦＬ（Cold Cathode Fluorescent Lamp）により構成してもよい。
【００２５】
ここで、液晶表示部３０およびバックライト４０は、本開示における「表示部」の一具体例に対応する。バックライト駆動部１４は、本開示における「制御部」の一具体例に対応する。発光期間ＰＢは、本開示における「第１の表示光期間」の一具体例に対応し、発光期間ＰＡは、本開示における「第２の表示光期間」の一具体例に対応する。動作モードＭ１は、本開示における「第１の動作モード」の一具体例に対応し、動作モードＭ２は、本開示における「第２の動作モード」の一具体例に対応し、動作モードＭ３は、本開示における「第３の動作モード」の一具体例に対応する。
【００２６】
［動作および作用］
続いて、本実施の形態の表示装置１の動作および作用について説明する。
【００２７】
（全体動作概要）
まず、図１を参照して、表示装置１の全体動作概要を説明する。制御部１１は、映像信号Ｓdispに基づいて、表示駆動部２０、動きベクトル検出部１２、平均信号レベル検出部１３、およびバックライト駆動部１４がお互いに同期して動作するように制御する。表示駆動部２０は、液晶表示部３０を駆動する。液晶表示部３０は、バックライト４０から射出した光を変調することにより表示を行う。
【００２８】
動きベクトル検出部１２は、映像信号Ｓdispにより供給される一連のフレーム画像に基づいて、画像の変化を示す動きベクトルを検出し、動きベクトル信号Ｓｖを生成する。平均信号レベル検出部１３は、各フレーム画像における映像信号Ｓdispの平均信号レベルＳavgを求める。バックライト駆動部１４は、各フレーム期間において、バックライト４０が間欠的に２回発光するようにバックライト４０を駆動する。その際、バックライト駆動部１４は、動きベクトル信号Ｓｖから得られる映像の動き量と、平均信号レベルＳavgから得られる映像の明るさとに基づいて、３つの動作モードＭ１〜Ｍ３から動作モードを選択し、その選択した動作モードに応じてバックライト４０の発光タイミングを制御する。バックライト４０は、バックライト駆動部１４から供給される駆動信号に基づいて発光し、液晶表示部３０に対してその光を射出する。
【００２９】
（詳細動作）
図４は、表示装置１における表示動作のタイミング図を表すものであり、（Ａ）は液晶表示部３０の動作を示し、（Ｂ）は液晶表示部３０の画素Ｐixにおける光透過率を示し、（Ｃ）〜（Ｅ）は動作モードＭ１〜Ｍ３におけるバックライト４０の輝度Ｉを示す。
【００３０】
図４（Ａ）の縦軸は、液晶表示部３０の線順次走査方向の走査位置を示している。また、図４（Ａ）において、例えば、“Ｆ(n)”は液晶表示部３０がｎ番目のフレーム画像Ｆ(n)の表示を行っていることを示し、“Ｆ(n+1)”は液晶表示部３０が（ｎ＋１）番目のフレーム画像Ｆ(n+1)の表示を行っていることを示している。
【００３１】
表示装置１では、周期Ｔ０で線順次走査が行われ、フレーム画像Ｆの表示が行われる。ここで、周期Ｔ０は、例えば、１６．７［msec］（＝１／６０［Hz］）にすることができる。なお、周期Ｔ０は、これに限定されるものではなく、例えば、２０［msec］（＝１／５０［Hz］）、２０．８［msec］（＝１／４８［Hz］）などにすることが可能である。そして、バックライト４０は、周期Ｔ０の時間において２回（発光期間ＰＡ，ＰＢ）発光する。なお、この例では、発光期間ＰＡ，ＰＢは、互いに等しい時間幅を有するものとし、また、バックライト４０は、これらの期間において、互いに等しい輝度で発光するものとする。以下にその詳細を説明する。
【００３２】
まず、タイミングｔ０〜ｔ１０の期間において、液晶表示部３０では、表示駆動部２０から供給される駆動信号に基づき、最上部から最下部に向かって線順次走査が行われ、フレーム画像Ｆ(n)の表示が行われる（図４（Ａ））。これにより、液晶表示部３０の各水平ラインに係る画素Ｐixは、図４（Ｂ）に示したように、画素信号が書き込まれてから次に書き込まれるまでの期間（表示期間Ｐdisp）に、その画素信号に対して応答し、表示期間Ｐdispの期間内にほぼ応答を完了する。
【００３３】
次に、バックライト４０は、動作モードＭ１〜Ｍ３に応じたタイミングで、１回目の発光（発光期間ＰＡ）を行う（図４（Ｃ）〜（Ｅ））。すなわち、動作モードＭ１では、バックライト４０は、タイミングｔ１から開始する発光期間ＰＡにおいて発光する。具体的には、バックライト４０は、表示面における中央の水平ラインに係る表示期間Ｐdispの前半の最後に設けられた発光期間ＰＡにおいて発光する。また、動作モードＭ２では、バックライト４０は、タイミングｔ１よりも遅いタイミングｔ２から開始する発光期間ＰＡにおいて発光する。そして動作モードＭ３では、バックライト４０は、タイミングｔ２よりも遅いタイミングｔ３から開始する発光期間ＰＡにおいて発光する。
【００３４】
次に、バックライト４０は、タイミングｔ４から開始する発光期間ＰＢにおいて２回目の発光を行う。具体的には、バックライト４０は、表示面における中央の水平ラインに係る表示期間Ｐdispの最後に設けられた発光期間ＰＢにおいて発光する。すなわち、バックライト４０は、動作モードＭ１〜Ｍ３に依らず同じタイミングでこの２回目の発光を行う。
【００３５】
以上の動作を繰り返すことにより、表示装置１は一連のフレーム画像Ｆからなる映像を表示する。
【００３６】
次に、各動作モードＭ１〜Ｍ３について、詳細に説明する。
【００３７】
動作モードＭ１では、図４（Ｃ）に示したように、発光期間ＰＡは、互いに隣り合う発光期間ＰＢの中間に配置される。すなわち、動作モードＭ１では、バックライト４０は、周期Ｔ０の半分の周期で発光する。これにより、表示装置１では、観察者が、画面のちらつき（フリッカ）を感じるおそれを低減することができる。
【００３８】
すなわち、一般に、人は、映像の点滅の周波数が、ある周波数（フリッカ検知周波数）以下になると、その映像を観察したときにフリッカを感じる。このフリッカ検知周波数は、概ね７５Ｈｚ程度であるが、網膜上の像の位置や面積、その人の年齢などの個人差、その人の体調、表示する映像などにより変化する。特に、映像については、例えば、明るい映像や、動き量が小さい映像（例えば静止画など）を表示する場合において、フリッカ検知周波数が高くなり、これにより、人はフリッカを感じやすくなる。
【００３９】
動作モードＭ１では、上述したように、バックライト４０は、周期Ｔ０の半分の周期で発光するので、点滅の周波数は、例えば１２０［Ｈｚ］（＝６０［Ｈｚ］×２）になり、フリッカ検知周波数よりも高くなる。これにより、表示装置１では、明るい映像や、動き量が小さい映像を表示する場合において、観察者がフリッカを感じるおそれを低減することができる。
【００４０】
一方、動作モードＭ３では、図４（Ｅ）に示したように、発光期間ＰＡは、各発光期間ＰＢの直前に配置される。すなわち、動作モードＭ３では、バックライト４０は、発光期間ＰＡと発光期間ＰＢからなる１つの発光期間において発光する。これにより、表示装置１では、観察者が２重像による画質の低下を感じるおそれを低減することができる。
【００４１】
すなわち、動き量が大きい映像（例えば動画など）を、仮に動作モードＭ１で表示する場合には、１フレーム期間においてバックライト４０が２回発光するため、観察者は２重像を観察するおそれがある。具体的には、図４（Ｂ）に示したように、例えば、液晶表示部３０の中央の水平ラインに係る画素Ｐixは、表示期間Ｐdispの後ろに配置された発光期間ＰＢでは、画素信号に対して十分に応答しているが、表示期間Ｐdispの中央付近に配置された発光期間ＰＡではまだ十分に応答していないため、液晶表示部３０は、互いに異なる画像を重ねて表示することとなり、この場合、観察者は、これらの画像を２重像として観察するおそれがある。
【００４２】
動作モードＭ３では、上述したように、バックライト４０は、１フレーム期間において１回のみ発光する。これにより、表示装置１では、動き量が大きい映像を表示する場合において、観察者が２重像による画質の低下を感じるおそれを低減することができる。
【００４３】
また、動作モードＭ２では、図４（Ｄ）に示したように、発光期間ＰＡは、動作モードＭ１における発光期間ＰＡと、動作モードＭ３における発光期間ＰＡの中間に配置される。これにより、動作モードＭ２では、動作モードＭ１の場合と同様に、バックライト４０における点滅に、より高い周波数を含ませることができるため、観察者がフリッカを感じにくくすることができる。
【００４４】
さらに、動作モードＭ２では、１フレーム期間における２つの発光期間ＰＡ，ＰＢが、動作モードＭ１の場合と比べて互いに近づくため、例えば、各画素Ｐixにおける発光期間ＰＡでの表示は、画素信号に対してより応答したものとなり、発光期間ＰＢでの表示により近いものとなる。これにより、表示装置１では、観察者が２重像による画質の低下を感じるおそれを低減することができる。
【００４５】
（バックライト駆動部１４の動作について）
バックライト駆動部１４は、動きベクトル信号Ｓｖから得られる映像の動き量と、平均信号レベルＳavgから得られる映像の明るさとに基づいて、これらの３つの動作モードＭ１〜Ｍ３から動作モードを選択し、その選択した動作モードに応じてバックライト４０を駆動する。
【００４６】
図５は、バックライト駆動部１４における動作モードＭ１〜Ｍ３の選択動作を表すものである。バックライト駆動部１４は、動きベクトル信号Ｓｖに基づいて、映像の動き量を３段階（大／中／小）で判定する。また、バックライト駆動部１４は、平均信号レベルＳavgに基づいて、映像の明るさを３段階（大／中／小）で判定する。そして、バックライト駆動部１４は、この判定した動き量および明るさに基づいて、図５に示したように、動作モードＭ１〜Ｍ３のうちの１つの動作モードを選択する。
【００４７】
具体的には、バックライト駆動部１４は、映像の動き量が小さい場合、または映像が明るい場合には、動作モードＭ１を選択する。すなわち、映像の動き量が小さい場合、または映像が明るい場合には、上述したように、人はフリッカを感じやすくなる。そこで、バックライト駆動部１４は、このような場合には動作モードＭ１を選択し、バックライト４０における点滅の周波数を高くする。これにより、表示装置１では、観察者がフリッカを感じるおそれを低減することができる。
【００４８】
また、バックライト駆動部１４は、動き量が大きく、かつ映像が暗い場合には、動作モードＭ３を選択する。すなわち、映像の動き量が大きく、かつ映像が暗い場合には、仮に動作モードＭ１のようにバックライト４０が１フレーム期間において２回発光したときは、上述したように、観察者は２重像を観察するおそれがある。そこで、バックライト駆動部１４は、このような場合には動作モードＭ３を選択し、バックライト４０を、１フレーム期間において１回のみ発光させる。これにより、表示装置１では、観察者が２重像による画質の低下を感じるおそれを低減することができる。
【００４９】
また、バックライト駆動部１４は、これら以外の場合には、動作モードＭ２を選択し、バックライト４０の発光期間ＰＡ，ＰＢを、動作モードＭ１の場合に比べて互いに近づける。これにより、表示装置１では、観察者がフリッカを感じるおそれを低減するとともに、観察者が２重像による画質の低下を感じるおそれを低減することができる。
【００５０】
［効果］
以上のように本実施の形態では、１フレーム期間において２つの発光期間を設け、その発光期間の間隔を変化させるようにしたので、表示画質を高めることができる。
【００５１】
また、本実施の形態では、映像の動き量が小さい場合、または映像が明るい場合において、発光期間ＰＡを、互いに隣り合う発光期間ＰＢの中間に配置したので、観察者がフリッカを感じるおそれを低減することができる。
【００５２】
また、本実施の形態では、映像の動き量が大きく、かつ映像が暗い場合において、発光期間ＰＡを発光期間ＰＢの直前に配置したので、観察者が２重像による画質の低下を感じるおそれを低減することができる。
【００５３】
また、本実施の形態では、映像の動き量および明るさが上記以外の場合において、発光期間ＰＡを、互いに隣り合う発光期間ＰＢの中間からずれるように配置したので、観察者がフリッカを感じるおそれを低減するとともに、観察者が２重像による画質の低下を感じるおそれを低減することができる。
【００５４】
［変形例１−１］
上記実施の形態では、発光期間ＰＢを、液晶表示部３０の中央の水平ラインに係る表示期間Ｐdispの最後に設けたが、これに限定されるものではなく、これに代えて、図４（Ｃ）〜（Ｅ）に示した各発光期間ＰＡ，ＰＢのタイミングを全体的にずらすことにより、発光期間ＰＢを、液晶表示部３０の中央以外の水平ラインに係る表示期間Ｐdispの最後に設けてもよい。具体的には、例えば、発光期間ＰＢを、液晶表示部３０の最上部の水平ラインに係る表示期間Ｐdispの最後に設けてもよいし、発光期間ＰＢを、液晶表示部３０の最下部の水平ラインに係る表示期間Ｐdispの最後に設けてもよい。
【００５５】
［変形例１−２］
上記実施の形態では、発光期間ＰＡ，ＰＢにおけるバックライト４０の各発光量（時間幅×輝度）は互いに等しいものとしたが、これに限定されるものではなく、これに代えて、例えば、発光期間ＰＢにおける発光量を、発光期間ＰＡにおける発光量よりも大きくしてもよい。具体的には、例えば、図６に示したように、バックライト４０の輝度Ｉにより発光量を制御してもよいし、図７に示したように、発光期間ＰＡ，ＰＢの時間幅により発光量を制御してもよい。
【００５６】
［変形例１−３］
上記実施の形態では、３つの動作モードＭ１〜Ｍ３を設けたが、これに限定されるものではなく、２つもしくは４つ以上の動作モードを設けてもよい。図８に、４つの動作モードＮ１〜Ｎ４を設けた場合の例を示す。
【００５７】
［変形例１−４］
上記実施の形態では、周期Ｔ０ごとに線順次走査を１回行ったが、これに限定されるものではなく、これに代えて、例えば、周期Ｔ０ごとに複数回、線順次走査を行ってもよい。以下に、その詳細を説明する。
【００５８】
図９は、本変形例に係る表示装置１Ｄにおける表示動作のタイミング図を表すものであり、（Ａ）は本変形例に係る液晶表示部３０Ｄの動作を示し、（Ｂ）〜（Ｄ）は本変形例に係るバックライト４０Ｄの輝度Ｉを示す。
【００５９】
表示装置１Ｄでは、周期Ｔ０において、フレーム画像Ｆを表示する線順次走査を２回行う。この線順次走査を行う周期Ｔ１は、例えば８．３［msec］（＝１／６０［Hz］／２）にすることができる。すなわち、この例では、液晶表示部３０Ｄは、いわゆる２倍速駆動に対応した液晶表示パネルである。
【００６０】
液晶表示部３０Ｄでは、タイミングｔ３０〜ｔ３５の期間において線順次走査が行われ、フレーム画像Ｆ(n)の表示が行われる（図９（Ａ））。これにより、各水平ラインに係る画素Ｐixは、画素信号が書き込まれてから次に書き込まれるまでの表示期間ＰdispAに、その画素信号に対して応答する。次に、液晶表示部３０Ｄでは、タイミングｔ３５〜ｔ４０の期間において、再度線順次走査が行われ、同じフレーム画像Ｆ(n)の表示が行われる（図９（Ａ））。各水平ラインに係る画素Ｐixは、画素信号が書き込まれてから次に書き込まれるまでの表示期間ＰdispBに、その画素信号に対して応答する。
【００６１】
また、バックライト４０Ｄは、上記実施の形態の場合と同様に、動作モードＭ１〜Ｍ３に応じたタイミングｔ４１，ｔ４２，ｔ４０から開始する発光期間ＰＡで、１回目の発光を行い、タイミングｔ４３から開始する発光期間ＰＢで、２回目の発光を行う（図４（Ｃ）〜（Ｅ））。すなわち、バックライト４０は、動作モードＭ１では、表示面における中央の水平ラインに係る表示期間ＰdispAの最後に設けられた発光期間ＰＡにおいて１回目の発光を行い、動作モードＭ２では、動作モードＭ１の場合よりも遅いタイミングｔ４２から開始する発光期間ＰＡにおいて１回目の発光を行い、動作モードＭ３では、動作モードＭ２の場合よりもさらに遅いタイミングｔ４０から開始する発光期間ＰＡにおいて１回目の発光を行う。また、バックライト４０は、動作モードに依らず、表示面における中央の水平ラインに係る表示期間ＰdispBの最後に設けられた発光期間ＰＢにおいて２回目の発光を行う。
【００６２】
この場合でも、上記実施の形態の場合と同様に、例えば動作モードＭ１では、観察者がフリッカを感じるおそれを低減することができ、動作モードＭ３では、観察者が２重像による画質の低下を感じるおそれを低減することができ、また、動作モードＭ２では、これらの効果を両立することができる。
【００６３】
［変形例１−５］
上記実施の形態では、動作モードＭ２，Ｍ３において、動作モードＭ１における発光期間ＰＡの発光タイミングを後ろにずらすことにより、発光期間ＰＡ，ＰＢの間隔を狭めたが、これに限定されるものではなく、これに代えて、例えば、図１０に示したように、動作モードＭ１における発光期間ＰＡの発光タイミングを前にずらすことにより、発光期間ＰＡ，ＰＢの間隔を狭めてもよい。
【００６４】
［変形例１−６］
上記実施の形態では、バックライト４０は、各発光期間ＰＡ，ＰＢにおいて連続的に発光し続けるようにしたが、これに限定されるものではない。図１１は、バックライト４０の輝度Ｉのタイミング波形図を表すものであり、（Ａ）はバックライト４０が連続して発光する例を示し、（Ｂ）はパルスにより発光する例を示す。図１１（Ｂ）に示したように、バックライト４０が、短い時間で発光と消灯を交互に繰り返すようにしてもよい。この場合には、発光と消灯の時間比（デューティ比）により、各発光期間におけるバックライト４０の輝度を調整することができる。
【００６５】
＜２．第２の実施の形態＞
次に、第２の実施の形態に係る表示装置２について説明する。本実施の形態は、複数の部分発光部を有するバックライトを用いて表示装置を構成したものである。なお、上記第１の実施の形態に係る表示装置１と実質的に同一の構成部分には同一の符号を付し、適宜説明を省略する。
【００６６】
図１２は、本実施の形態に係る表示装置２の一構成例を表すものである。表示装置２は、バックライト５０と、バックライト駆動部１８とを備えている。バックライト５０は、この例では、線順次走査方向に並設された２つの部分発光部５１，５２を有している。これらの部分発光部５１，５２は、独立して発光できるように構成されている。バックライト駆動部１８は、この例では、表示画面全体における映像の動き量および映像の明るさに基づいて動作モードを選択し、その選択した動作モードに応じて、これらの部分発光部５１，５２を独立して駆動するものである。部分発光部５１から射出した光は、液晶表示部３０における対応する領域Ｚ１に入射するようになっており、部分発光部５２から射出した光は、液晶表示部３０における対応する領域Ｚ２に入射するようになっている。
【００６７】
図１３は、表示装置２における表示動作のタイミング図を表すものであり、（Ａ）は液晶表示部３０の動作を示し、（Ｂ）〜（Ｄ）は部分発光部５１における輝度Ｉを示し、（Ｅ）〜（Ｇ）は部分発光部５２における輝度Ｉを示す。ここで、図１３（Ｂ），（Ｅ）は動作モードＭ１における輝度Ｉを示し、図１３（Ｃ），（Ｆ）は動作モードＭ２における輝度Ｉを示し、図１３（Ｄ），（Ｇ）は動作モードＭ３における輝度Ｉを示す。
【００６８】
まず、タイミングｔ５０〜ｔ６０の期間において、液晶表示部３０では、最上部から最下部に向かって線順次走査が行われ、フレーム画像Ｆ(n)の表示が行われる（図１３（Ａ））。
【００６９】
バックライト５０の部分発光部５１，５２は、液晶表示部３０の領域Ｚ１，Ｚ２における表示とそれぞれ同期して、独立して発光を行う。
【００７０】
まず、部分発光部５１は、動作モードＭ１〜Ｍ３に応じたタイミングで、１回目の発光（発光期間ＰＡ）を行い、動作モードに依らないタイミングで、２回目の発光（発光期間ＰＢ）を行う（図１３（Ｂ）〜（Ｄ））。具体的には、部分発光部５１は、動作モードＭ１では、領域Ｚ１における中央の水平ラインに係る表示期間Ｐdisp1の中央付近に設けられた発光期間ＰＡにおいて１回目の発光を行い、動作モードＭ２では、動作モードＭ１の場合よりも遅いタイミングから開始する発光期間ＰＡにおいて１回目の発光を行い、動作モードＭ３では、動作モードＭ２の場合よりもさらに遅いタイミングから開始する発光期間ＰＡにおいて１回目の発光を行う。また、部分発光部５１は、動作モードに依らず、領域Ｚ１における中央の水平ラインに係る表示期間Ｐdisp1の最後に設けられた発光期間ＰＢにおいて２回目の発光を行う。
【００７１】
同様に、部分発光部５２は、動作モードＭ１〜Ｍ３に応じたタイミングで、１回目の発光（発光期間ＰＡ）を行い、動作モードに依らないタイミングで、２回目の発光（発光期間ＰＢ）を行う（図１３（Ｅ）〜（Ｇ））。具体的には、部分発光部５２は、動作モードＭ１では、領域Ｚ２における中央の水平ラインに係る表示期間Ｐdisp2の中央付近に設けられた発光期間ＰＡにおいて、１回目の発光を行い、動作モードＭ２では、動作モードＭ１の場合よりも遅いタイミングから開始する発光期間ＰＡにおいて１回目の発光を行い、動作モードＭ３では、動作モードＭ２の場合よりもさらに遅いタイミングから開始する発光期間ＰＡにおいて１回目の発光を行う。また、部分発光部５２は、動作モードに依らず、領域Ｚ２における中央の水平ラインに係る表示期間Ｐdisp2の最後に設けられた発光期間ＰＢにおいて、２回目の発光を行う。
【００７２】
以上のように本実施の形態では、バックライトを２つの部分発光部により構成し、独立して発光できるようにしたので、バックライトを分割しない場合に比べて、各画素Ｐixの液晶素子ＬＣが画素信号により応答したタイミングで発光期間ＰＢを設けることができるため、画質の低下を低減することができる。その他の効果は、上記第１の実施の形態の場合と同様である。
【００７３】
［変形例２−１］
上記実施の形態では、バックライト駆動部１８は、表示画面全体における映像の動き量および映像の明るさに基づいて動作モードを選択したが、これに限定されるものではなく、これに代えて、例えば、領域Ｚ１における映像の動き量および映像の明るさに基づいて動作モードを選択し、その選択された動作モードに応じて部分発光部５１を駆動するとともに、領域Ｚ２における映像の動き量および映像の明るさに基づいて動作モードを選択し、その選択された動作モードに応じて部分発光部５２を駆動してもよい。これにより、領域Ｚ１，Ｚ２で、互いに異なる動作モードを選択することができるため、表示画質を高めることができる。
［変形例２−２］
上記実施の形態では、バックライト５０は、２つの部分発光部５１，５２により構成したが、これに限定されるものではなく、３つ以上の部分発光部により構成してもよい。
【００７４】
以上、いくつかの実施の形態および変形例を挙げて本技術を説明したが、本技術はこれらの実施の形態等には限定されず、種々の変形が可能である。
【００７５】
例えば、上記の各実施の形態等では、液晶表示部３０およびバックライト４０を用いたが、これに限定されるものではなく、これに代えて、例えば、ＣＲＴ（Cathode Ray Tube）表示装置、ＥＬ（Electro Luminescence）表示装置、ＬＥＤを表示素子とするＬＥＤ表示装置を用いてもよい。以下に、一例として、上記第１の実施の形態において、液晶表示部３０およびバックライト４０に代えてＥＬ表示部を用いた場合について説明する。
【００７６】
図１４は、本変形例に係る表示装置１Ｇの一構成例を表すものである。表示装置１Ｇは、表示制御部１４Ｇと、表示駆動部２０Ｇと、ＥＬ表示部３０Ｇとを備えている。表示制御部１４Ｇは、動きベクトル信号Ｓｖから得られる映像の動き量と、平均信号レベルＳavgから得られる映像の明るさとに基づいて、ＥＬ表示部３０Ｇにおける表示タイミングが互いに異なる３つの動作モードＭ１〜Ｍ３から動作モードを選択し、その選択した動作モードに応じて表示駆動部２０Ｇを制御するようになっている。表示駆動部２０Ｇは、制御部１１から供給される映像信号Ｓdisp、および表示制御部１４Ｇから供給される制御信号に基づいて、ＥＬ表示部３０Ｇを駆動するものである。具体的には、表示駆動部２０Ｇは、各フレーム期間において、ＥＬ表示部３０Ｇが２回（発光期間ＰＡ，ＰＢ）発光して表示を行うように、ＥＬ表示部３０Ｇを駆動する。ＥＬ表示部３０Ｇは、ＥＬ表示素子により構成されるものであり、例えば有機ＥＬ素子が適用可能である。
【００７７】
また、例えば、上記の各実施の形態等では、１フレーム期間において２つの発光期間を設けたが、これに限定されるものではなく、これに代えて、例えば３つ以上の発光期間を設けてもよい。
【００７８】
なお、本技術は以下のような構成とすることができる。
【００７９】
（１）表示画面から映像に応じた表示光が、各フレーム期間内において間欠的に複数回発せられるように制御される表示部と、
各フレーム期間における、前記表示光が発せられる複数の表示光期間のうちの少なくとも１つの時間上の位置を制御する制御部と
を備えた表示装置。
【００８０】
（２）各フレーム期間には、固定された第１の表示光期間と、可変の第２の表示光期間が設けられている
前記（１）に記載の表示装置。
【００８１】
（３）前記制御部は、前記表示部に表示すべき映像の明るさレベルに基づいて前記第２の表示光期間の時間上の位置を制御する
前記（２）に記載の表示装置。
【００８２】
（４）前記制御部は、前記明るさレベルが大きいほど、前記第２の表示光期間を、互いに隣り合うフレーム期間における２つの前記第１の表示光期間の中央に近づける
前記（３）に記載の表示装置。
【００８３】
（５）前記制御部は、前記表示部に表示すべき映像の動き量に基づいて前記第２の表示光期間の時間上の位置を制御する
前記（２）に記載の表示装置。
【００８４】
（６）前記制御部は、前記動き量が小さいほど、前記第２の表示光期間を、互いに隣り合うフレーム期間における２つの前記第１の表示光期間の中央に近づける
前記（５）に記載の表示装置。
【００８５】
（７）前記制御部は、第１の動作モードにおいて、前記第２の表示光期間を、互いに隣り合うフレーム期間における２つの前記第１の表示光期間の中央に配置する
前記（２）に記載の表示装置。
【００８６】
（８）前記制御部は、第２の動作モードにおいて、前記第２の表示光期間を、互いに隣り合うフレーム期間における２つの前記第１の表示光期間の中央からずれた位置に配置する
前記（７）に記載の表示装置。
【００８７】
（９）前記制御部は、第３の動作モードにおいて、前記第２の表示光期間を、前記第１の表示光期間に隣接して配置する
前記（８）に記載の表示装置。
【００８８】
（１０）前記制御部は、前記明るさレベルを複数の範囲に区分し、明るさレベルが一番大きい範囲に属する場合には、前記第１の動作モードを選択する
前記（７）から（９）のいずれかに記載の表示装置。
【００８９】
（１１）前記制御部は、前記動き量を複数の範囲に区分し、動き量が一番小さい範囲に属する場合には、前記第１の動作モードを選択する
前記（７）から（９）のいずれかに記載の表示装置。
【００９０】
（１２）前記制御部は、前記表示部に表示すべき映像の明るさレベルおよび動き量をそれぞれ複数の範囲に区分し、
明るさレベルが一番大きい場合、もしくは動き量が一番小さい場合には、前記第１の動作モードを選択し、
明るさレベルが一番小さく、かつ動き量が一番大きい場合には、前記第３の動作モードを選択し、
それ以外の場合には、前記第２の動作モードを選択する
前記（９）に記載の表示装置。
【００９１】
（１３）前記表示部は、液晶表示部と、バックライトとを備え、
前記制御部は、前記バックライトの発光タイミングを制御する
前記（２）から（１２）のいずれかに記載の表示装置。
【００９２】
（１４）前記第１の表示光期間は、前記液晶表示部の中央に位置する水平ラインが表示される表示期間の最後部またはその近傍に設けられている
前記（１３）に記載の表示装置。
【００９３】
（１５）前記バックライトは複数の部分発光部を有し、
前記制御部は、前記部分発光部ごとに、前記第２の表示光期間の時間軸上の位置を独立して制御する
前記（１３）に記載の表示装置。
【００９４】
（１６）各部分発光部の前記第１の表示光期間は、前記液晶表示部における対応する表示領域の中央に位置する水平ラインが表示される表示期間の最後部またはその近傍に設けられている
前記（１５）に記載の表示装置。
【００９５】
（１７）前記表示部は、ＥＬ表示部である
前記（１）から（１２）のいずれかに記載の表示装置。
【００９６】
（１８）各フレーム期間において、表示画面から間欠的に複数回表示光を発し、前記表示光が発せられる複数の表示光期間のうちの少なくとも１つの時間上の位置を制御する
表示方法。
【符号の説明】
【００９７】
１，２…表示装置、１１…制御部、１２…動きベクトル検出部、１３…平均信号レベル検出部、１４，１８…バックライト駆動部、１４Ｇ…表示制御部、２０，２０Ｇ…表示駆動部、２１…タイミング制御部、２２…ゲートドライバ、２３…データドライバ、３０…液晶表示部、３０Ｇ…ＥＬ表示部、４０，５０…バックライト，５１，５２…部分発光部、  ＣＳＬ…保持容量線、ＧＣＬ…ゲート線、ＬＣ…液晶素子、Ｍ１〜Ｍ３…動作モード、ＰＡ，ＰＢ…発光期間、Ｐdisp，ＰdispA，ＰdispB，Ｐdisp1，Ｐdisp2…表示期間、Ｐix…画素、Ｓavg…平均信号レベル、Ｓdisp，Ｓdisp2…映像信号、Ｓｖ…動きベクトル信号、ＳＧＬ…データ線、Ｔｒ…ＴＦＴ素子、Ｚ１，Ｚ２…領域。
【図１】
2013101259.tif 000003
【図２】
2013101259.tif 000004
【図３】
2013101259.tif 000005
【図４】
2013101259.tif 000006
【図５】
2013101259.tif 000007
【図６】
2013101259.tif 000008
【図７】
2013101259.tif 000009
【図８】
2013101259.tif 000010
【図９】
2013101259.tif 000011
【図１０】
2013101259.tif 000012
【図１１】
2013101259.tif 000013
【図１２】
2013101259.tif 000014
【図１３】
2013101259.tif 000015
【図１４】
2013101259.tif 000016